(57)【要約】      （修正有）【課題】指の操作で蓋を開栓して燃料液を充填し、事後、指の操作で蓋を閉栓必要の無い、カートリッジタンクを提供する。【解決手段】カートリッジ３内部の開閉可能の蓋１に閉鎖させるスプリング２１を連結し、蓋への指の操作を不要にして、単に燃料液充填口１１に燃料液補充筒口を外部から挿し込めば蓋が押し開かれて燃料液が充填でき、抜き出せばスプリングの閉鎖力により燃料液カートリッジ内部は自然に密閉されて外部と内部は隙間なく遮断され、不慮横転しても内部燃料液の漏出を防ぎ、燃料液補充筒口を通過させる程の面積に広がる蓋により、位置ずれを起こした下向きの充填口に起こる、燃料液排出の不調をなくした。【選択図】図１
2018124045.tif 000002
【特許請求の範囲】
【請求項１】
燃料液燃焼暖房具に内蔵される携帯式の燃料液カートリッジの充填口の最小内径より大径周囲で、そのカートリッジ内側から充填口と密着して気密を保つ開閉可能の蓋と、その蓋とカートリッジ本体との間に蓋を閉鎖方向に作動させるスプリングが介在し、上向きの充填口におけるその蓋を燃料液補充筒口が押し下げて充填口内に進退する、指で触れない蓋の開閉操作とし、下向きのその充填口内に燃料液燃焼暖房具側の上向き突起が進入して蓋の密着以外部分を突き上げる構成の燃料液カートリッジ。
【発明の詳細な説明】
【技術分野】
【０００１】本発明は、燃料液燃焼暖房具の携帯式の燃料液カートリッジの燃料液の充填口の内側にある開閉可能の蓋を、外部から挿し込む燃料液補充筒口が、蓋を閉鎖方向に作動させるスプリングの閉鎖力を上回って蓋を押し開いて燃料液を補充し、及び、抜き出せばスプリングの閉鎖力によりカートリッジ内部は密閉される構成により、指で触れる必要のない蓋の開閉操作とし、その蓋は燃料液補充筒口を通過させる広さの閉鎖面積により、燃料液燃焼暖房具側の上向き突起が下向きの充填口内に進入してその蓋を突き上げる際の位置のずれを許容する、燃料液燃焼暖房具に内蔵される燃料液カートリッジに関する。
なお文中、携帯式の燃料液カートリッジを単にカートリッジ等、各々前出の呼称を事後簡略化する場合がある。
【背景技術】
【０００２】  従来の石油ストーブ等燃料液燃焼暖房具に内蔵される携帯式の燃料液カートリッジの燃料液充填口の蓋は充填口外部に嵌合取り付いて、燃料液補充時にはカートリッジを取り出し、充填口を上向きとして、指の操作で充填口から蓋を除去開栓し、上部から燃料液補充筒口をカートリッジ内に挿入して燃料液を補充し、事後、指の操作で蓋を嵌合し閉栓するものであった。その蓋に開口した燃料液排出口は、燃料液安定排出の観点から、また、蓋の強度の面から、暖房具本体に具備した上向き突起の尖頭が燃焼消費分追加のために突き込める程度の小径にしていた。【０００３】    前記、カートリッジの燃料液充填口の外部に取り付く蓋はカートリッジから完全分離開栓、あるいは一部連結分離開栓するものであったが、いずれも指を蓋に接触しての開閉栓操作を強いられた。
【発明の開示】
【発明が解決しようとする課題】
【０００４】  以上において、その開閉栓操作は、幼年、高齢その他手元不如意の人においては負担であり、また、閉栓操作が不完全の場合、暖房具へのカートリッジの移動収納時等、下向きとしたカートリッジの充填口から充填燃料液が漏出して周囲を汚染し、あるいは不慮開栓して火災を惹起する深刻な危険を伴うものであった。
また、取り扱い上の不慮衝撃等によるカートリッジ躯体のゆがみ等により小径の燃料液排出口の位置が少しずれ、下から燃料液排出口に突き上げる上向き突起位置と合致しない場合には、燃料液排出が不調となっていた。
【課題を解決するための手段】
【０００５】  本発明は、その問題解決のため、燃料液燃焼暖房具に内蔵される携帯式の燃料液カートリッジの燃料液充填口の最小内径より大径周囲の、カートリッジの外部と内部を隙間なく内側から密着して閉鎖する開閉可能の蓋を外部から進入する燃料液補充筒口が押し開き、及び適所に密閉性を高めるパッキンを、当接配置する。【０００６】  全体が一端側と他端側から成るスプリングを、補充筒口の進退と上向き突起の機能に支障なき位置、形状の配置において蓋とカートリッジ本体の外部又は内部との間に介在させ、蓋とカートリッジ本体の双方に両端側で取り付き、あるいは一端側でそのいずれかに取り付いて蓋を閉鎖方向に作動させる閉鎖力により、充填口が上向き、あるいはその他の向きの姿勢のカートリッジであっても、外部と内部を隙間なく閉鎖可能とする。
すなわち、前記蓋がその周囲一部を支点としてカートリッジ内に開閉可能に固定した場合、スプリングがカートリッジ外部にあればスプリングの一端側でカートリッジ外部に取り付き他端側が蓋の外部に取り付いて、スプリングの両端側で双方に連結して蓋を引き付けて閉鎖させ、スプリングがカートリッジ内部にあれば、スプリングの一端側が蓋またはスプリング双方のいずれかに取り付き、他端側は双方の残りに取り付きあるいは接触して各々双方に押し出すスプリング力により蓋を閉鎖し、また、支点なき蓋の場合、スプリングは蓋とカートリッジ本体の双方に両端側で各々取り付き、固定連結して蓋を開閉可能とするものである。【０００７】  前記課題解決手段による作用は次のとおりである。
スプリングは、燃料液充填口を上向きとした蓋の重量のもっとも掛かる姿勢でも閉鎖し続け、外部と内部を隙間なく密着遮断して、不慮、横転しても内部燃料液の漏出を防ぐ。【０００８】上向きとした充填口に外部から燃料液補充筒口を挿し込み、スプリングの閉鎖力を上回る力で蓋を押し下げ、カートリッジ内に進入させれば燃料液の充填態勢となる。
燃料液の充填後、その筒口を抜き出せばスプリングの閉鎖力によりカートリッジ内部は自然に密閉される。【０００９】暖房具内装置の貯油皿に上向きに具備した突起が、使用不慮衝撃等によりカートリッジ躯体の歪みによる位置ずれを起こした下向きの充填口内に進入した場合でも、燃料液補充筒口を通過させる程の面積に広がる蓋の密着以外部分を突き上げることができる。
【発明の効果】
【００１０】  本発明により、上向きとした燃料液充填口に燃料液補充筒口を外部から挿し込むだけで燃料液の充填可能態勢となり、充填後抜き出せばスプリングの閉鎖力により燃料液カートリッジ内部は自然に密閉されるので、指を接触して蓋を開栓、閉栓することなく、給油途中、不慮横転、あるいは給油後、充填口を下向きにしても、スプリングの閉鎖力によりカートリッジ内部は既に密閉されているので、内部燃料液の漏出を防ぎ、周囲を汚染し、あるいは火災を惹起する深刻な危険もなくなる。【００１１】スプリングの閉鎖力は、充填口を上向きとした、蓋の重量のもっとも掛かる姿勢であっても蓋を閉鎖させ、そうして、充填口を下向きにして暖房具にカートリッジを内蔵して暖房具内装置の貯油皿の燃料液面以下に充填口先端を一定深度没入させ、貯油皿に上向きに具備した突起が、不慮使用衝撃等によりカートリッジ躯体の歪みによる位置ずれを起こした充填口内に進入したとしても、燃料液補充筒口を通過させる程の面積に広がる蓋の密着以外部分を突き上げて位置ずれを受容して押し開き、カートリッジ内の燃料液と貯油皿の燃料液が連通してカートリッジ内圧と外気圧が均衡して貯油皿液面は静止し、燃料液燃焼消費により貯油皿の液面が充填口先端以下に低下すれば、先端は液面と乖離して外気に露出して連通状態が解除され、カートリッジ内の燃料液の排出荷重によりカートリッジ内圧が下がって先端から外気が吸入され、その吸入容積ほぼ相当分のカートリッジ内の燃料液が貯油皿に排出されれば液面が上がって再び連通状態となり、カートリッジ内圧と外気圧が均衡し、貯油皿の燃料液面は静止するものである。
このとき、充填口先端周囲が水平面で高低差無く同一であれば、先端全周囲から外気の吸入が一挙となり、したがってカートリッジ内の燃料液が貯油皿に一挙排出される衝撃で安定燃焼に影響がでるため、高低差のある先端周囲にすべく、たとえば、周囲部分に切れ込み箇所を設け、その切れ込みから燃料液燃焼消費にしたがい外気を少量ずつ吸入させれば燃料液は穏やかな排出となる。あるいは、先端周囲を斜面切り口の形状としてもよい。
【図面の簡単な説明】
【００１２】
【図１】本発明の実施形態の一例を示す、蓋を支点により開閉可能に固定して閉じたカートリッジ内部の充填口の概略断面図。
【図２】同、図１の蓋を燃料液補充筒口が押し開いた概略断面図
【図３】同、充填口先端周囲の切れ込み、また、外部スプリングが支点のない蓋を開閉可能に閉鎖した充填口の概略断面図
【図４】同、充填口先端周囲がカートリッジ本体の外部で嵌合した、充填口の概略断面図
【発明を実施するための形態】
【００１３】    本発明の実施の一例の形態を図１、図２、図３、図４に基づいて説明する。
【００１４】        図１、図２は携帯式の燃料液カートリッジ３内部にある燃料液充填口１１の蓋１が支点１３において開閉可能に固定され、閉鎖時には燃料液充填口１１と蓋１の間には、より気密性を高めるための充填口パッキン４１があり、カートリッジ３側と燃料液充填口１１側を互のねじ切り嵌合部５で嵌合して、嵌合パッキン４２で気密を保ち、外部から挿し込む燃料液補充筒口６が蓋１を押し開いて燃料液補充態勢となり、及び、抜き出せばスプリング２１の閉鎖力によりカートリッジ３内部は自然に密閉される構成としており、
図３はカートリッジ３の外部と蓋１外部を外部スプリング２２両端部で連結して支点のない蓋１を閉鎖しており、また、充填口周囲部分の切れ込み７から、燃焼消費燃料容積分の外気を少量ずつ吸入させて燃料液を穏やかな排出としており、
図４は外部充填口１２がカートリッジ３の外部から互のねじ切り嵌合部５で嵌合し、蓋１が両端部連結の内部スプリング２３により閉鎖し、充填口パッキン４１と嵌合パッキン４２で気密を保持している。
【符号の説明】
【００１５】１    蓋
３    カートリッジ
５    互のねじ切り嵌合部
６    燃料液補充筒口
７    切れ込み
１１  カートリッジ内部の燃料液充填口
１２  カートリッジ外部の燃料液充填口
１３  支点
２１  スプリング
２２  両端部連結の外部スプリング
２３  両端部連結の内部スプリング
４１  充填口パッキン
４２  嵌合パッキン
【図１】
2018124045.tif 000003
【図２】
2018124045.tif 000004
【図３】
2018124045.tif 000005
【図４】
2018124045.tif 000006